(57)【要約】      （修正有）【課題】奥行きを変更することができる棚構造を提供する。【解決手段】本棚の側壁部に設けられた棚受け１４を、起立面２１と支持面２２とで構成し、支持面２２に位置決め部４１と係止部４２を形成する。棚受け１４の手前側Ｆに棚板を、奥側Ｂに延長部材を配設する。延長部材に載置領域の奥行きを定める壁部７３を設け、延長部材の底面中央部に、係止部４２を挿入可能な下方開口状の係止用挿入部を形成する。延長部材の壁部７３を奥側Ｂに配置した第１状態９１と、手前側Ｆに配置した第２状態９２を形成可能とし、棚板を支持する棚受け１４の棚板支持領域９３の奥側Ｂに、延長部材５２を両状態９１，９２にて支持可能な支持領域９４を設定する。【選択図】          図３
2004215906.tif 000002
【特許請求の範囲】
【請求項１】
物品が載置される載置面を、棚受けの手前側に配設される棚板と、該棚板の奥側に配設される延長部材とで構成し、前記延長部材の奥行き方向の一縁を手前側に配置した第１状態と奥側に配置した第２状態との両状態で当該延長部材を支持する支持領域を前記棚受けに設定する一方、
前記延長部材に載置領域の奥行きを定める壁部を立設し、該壁部を、前記延長部材の奥行き方向中心からずらした位置に設けたことを特徴とする棚構造。
【請求項２】
前記壁部を、前記延長部材の前記一縁に設けたことを特徴とする請求項１記載の棚構造。
【請求項３】
前記延長部材の底面中央部に下方開口状の係止用挿入部を設定するとともに、前記棚板の底面に下方開口状の位置決め用挿入部を設定する一方、
前記棚受けに、前記延長部材の前記係止用挿入部へ挿入した状態で当該延長部材に係合する前記手前側に延出した鉤状の係止部と、前記棚板の前記位置決め用挿入部に挿入した状態で当該棚板を位置決めする位置決め部とを設けたことを特徴とする請求項１又は２記載の棚構造。
【発明の詳細な説明】
【０００１】
【発明の属する技術分野】
本発明は、物品を載置する載置面を備えた棚構造に関する。
【０００２】
【従来の技術】
従来、書籍を陳列する際には、本棚が用いられていた。
【０００３】
この本棚の棚受けには、棚板が架橋されており、この棚板上に書籍を載置できるように構成されている。
【０００４】
【発明が解決しようとする課題】
しかしながら、陳列される書籍には、複数のサイズがあり、各サイズでの書籍の奥行き寸法が異なる。
【０００５】
このため、奥行きが大きなサイズの書籍に合わせて作られた本棚に、小さなサイズの書籍を陳列した場合、本棚の手前から書籍までの距離が遠くなる一方、奥行きが小さなサイズの書籍に合わせて作られた本棚に、大きなサイズの書籍を陳列する場合、書籍が本棚の手前に飛び出してしまうという問題があった。
【０００６】
本発明は、このような従来の課題に鑑みてなされたものであり、奥行きを変更することができる棚構造を提供することを目的とするものである。
【０００７】
【課題を解決するための手段】
前記課題を解決するために本発明の請求項１の棚構造にあっては、物品が載置される載置面を、棚受けの手前側に配設される棚板と、該棚板の奥側に配設される延長部材とで構成し、前記延長部材の奥行き方向の一縁を手前側に配置した第１状態と奥側に配置した第２状態との両状態で当該延長部材を支持する支持領域を前記棚受けに設定する一方、前記延長部材に載置領域の奥行きを定める壁部を立設し、該壁部を、前記延長部材の奥行き方向中心からずらした位置に設けた。
【０００８】
すなわち、延長部材に起立した壁部は、当該延長部材の奥行き方向中心からずれた位置に設けられており、この延長部材を支持する棚受けには、前記延長部材の奥行き方向の一縁を、手前側に配置した第１状態と奥側に配置した第２状態との両状態で支持可能な支持領域が設定されている。
【０００９】
このため、前記延長部材の向きを変えることによって、棚板の手前側の縁から前記延長部材の前記壁部までの奥行きが変更される。
【００１０】
また、請求項２の棚構造においては、前記壁部を、前記延長部材の前記一縁に設けた。
【００１１】
これにより、延長部材の向きを変えた際の奥行きの変化量が、前記延長部材の奥行き寸法となる。
【００１２】
さらに、請求項３の棚構造では、前記延長部材の底面中央部に下方開口状の係止用挿入部を設定するとともに、前記棚板の底面に下方開口状の位置決め用挿入部を設定する一方、前記棚受けに、前記延長部材の前記係止用挿入部へ挿入した状態で当該延長部材に係合する前記手前側に延出した鉤状の係止部と、前記棚板の前記位置決め用挿入部に挿入した状態で当該棚板を位置決めする位置決め部とを設けた。
【００１３】
すなわち、延長部材の係止用挿入部へ棚受けの係止部を挿通した後、延長部材を奥側へスライドすることによって、前記係止部が前記延長部材に係合し、当該延長部材が取り付けられる。
【００１４】
そして、棚板の位置決め用挿入部へ棚受けの位置決め部を挿入することで、当該棚板の手前側へのズレが防止される。
【００１５】
【発明の実施の形態】
以下、本発明の一実施の形態を図に従って説明する。図１及び図２は、本実施の形態にかかる棚構造を備えた本棚１を示す図であり、本棚１の要部の断面が示されている。
【００１６】
この本棚１のフレームは、枠状に形成された側壁部１１と、両側壁部１１を連結する図外の天板及び底板とによって構成されている。前記側壁部１１を構成する支柱部１２，１２の内側面には、縦長のスリット１３，・・・が長さ方向に等間隔をおいて複数形成されており、この側壁部１１の対向した部位には、棚受け１４，１４が着脱自在に取り付けられている。
【００１７】
この棚受け１４は、図３にも示すように、金属板で形成されており、前記側壁１１に沿って延在する起立面２１と（図１参照）、該起立面２１の下縁部が内側に折曲されてなる支持面２２とを備えている。前記起立面２１は、矩形状に形成されており、側壁部１１に取り付けられた状態で、両支柱部１２，１２間の間隙を閉鎖できる大きさに設定されている。
【００１８】
前記起立面２１両端の上縁部には、前記側壁１１側へ折曲されてなる係止片３１が、前記両支柱１２，１２の各スリット１３，・・・に適合する位置に設けられており、この係止片３１には、前記起立面２１より上方へ突出する爪部３２が形成されている。前記起立面２１両端の下縁部には、前記側壁１１側へ折曲された挿入片３３が、前記両支柱１２，１２の各スリット１３，・・・に適合する位置に設けられており、上部に設けられた係止片３１を支柱１２のスリット１３に挿入した後、上方へスライドさせて前記爪部３２をスリット１３の開口縁に係止した状態で、当該挿入片３３を下部のスリット１３に挿入できる位置に設けられている（図１参照）。これにより、棚受け１４の係止片３１及び挿入片３３を、いずれかのスリット１３，１３に挿入して係止することで、当該棚受け１４を任意の高さに取り付けられるように構成されている。
【００１９】
前記支持面２２の端縁には、図１にも示したように、長方形状の位置決め部４１が上方へ向けて折曲形成されており、該位置決め部４１より本棚１の奥側Ｂの部位には、係止部４２が折曲形成されている。この係止部４２は、上方へ向けて折曲された起立部４３と、該起立部４３より前記位置決め部４１側に延出した延出部４４とからなり、鉤状に形成されている。
【００２０】
前記側壁部１１の相対向する部位に取り付けられた前記棚受け１４，１４間には、棚受け１４の手前側Ｆに配置される棚板５１と、該棚板５１の奥側Ｂに配置される延長部材５２とが架橋されており、両部材５１，５２によって物品としての本を載置する載置面が形成されている。
【００２１】
前記棚板５１は、金属板によって形成されており、奥行き方向の両縁部には、下方へ折曲された下方折曲部６１，６１が形成されている。該下方折曲部６１，６１の先端部は、内方へ折曲されており、前記棚受け１４に支持される支持面６２，６２が形成されている。該支持面６２の先端部は、上方へ折曲されており、上方折曲部６３が形成されている。この棚板５１の両縁部に形成された上方折曲部６３，６３間の離間寸法は、前記位置決め部４１を挿入できる寸法に設定されており、前記棚板５１の底面には、前記位置決め部４１を挿入可能な下方開口状の位置決め用挿入部６４が、前記両上方折曲部６３，６３間に形成されている。
【００２２】
これにより、前記棚板５１は、前記位置決め用挿入部６４に位置決め部４１が挿入された状態で、前記両上方折曲部６３，６３が前記位置決め部４１に当接して移動規制されることにより、位置決めされるように構成されている。
【００２３】
前記延長部材５２も、図２にも示したように、金属板によって形成されており、奥行き方向の一方の縁部には、下方へ折曲された下方折曲部７１が形成されている。該下方折曲部７１の下端部は、内方へ折曲されており、前記棚受け１４に支持される支持面７２が形成されている。また、前記延長部材５２における奥行き方向の他方の縁部は、上方へ折曲された後、下方へ折り返されてなる壁部７３が形成されており、当該延長部材５２の奥行き方向の他方の縁部、すなわち奥行き方向中心より他方側へずらした位置には、載置領域の奥行きを定める前記壁部７３が立設されている。
【００２４】
この壁部７３より下方に延出した延出部８１の下端部は、内方へ折曲され、前記棚受け１４に支持される支持面が８２形成されており、当該延長部材５２の奥行き方向の両縁部には、前記棚受け１４に支持される支持面７２，８２が形成されている。両支持面７２，８２間の離間寸法は、前記係止部４２を挿入できる寸法に設定されており、前記延長部材５２の底面中央部には、前記係止部４２を挿入可能な下方開口状の係止用挿入部８３が、前記両支持面７２，８２間に形成されている。
【００２５】
これにより、図３にも示したように、前記延長部材５２の前記一方の縁部を手前側Ｆに配置した第１状態９１と、奥側Ｂに配置した第２状態９２とを任意に形成できるように構成されており、前記棚受け５２には、図１に示したように、前記棚板５１を支持する棚板支持領域９３の奥側Ｂに、前記延長部材５２を前記両状態９１，９２にて支持可能な支持領域９４が設定されている。
【００２６】
そして、前記第１状態９１において、前記延長部材５２の上面１０１が前記棚板５１の上面１０２の延長上に配置され、両上面１０１，１０２で面一な載置面を形成するように構成されており、前記棚板５１の手前側Ｆの縁から前記延長部材５２の前記壁部７３までの奥行き寸法Ｄ１が、Ａ４サイズの書籍に適合した２１０ｍｍとなるように設定されている。また、前記第２状態９２では、前記延長部材５２の上面１０１と前記棚板５１の上面１０２とが前記壁部７３で区画されるように構成されており、前記棚板５１の手前側Ｆの縁から前記延長部材５２の前記壁部７３までの奥行き寸法Ｄ２が、Ｂ５サイズの書籍に適合した１８０ｍｍとなるように設定されている。
【００２７】
そして、前記各状態９１，９２において、前記係止用挿入部８３に挿入された前記係止部４２の延出部４４が、いずれかの支持面７２，８２上に位置した状態で、前記係止部４２が延長部材５２と係合するように構成されている。
【００２８】
以上の構成にかかる本実施の形態において、この本棚１の下段にＡ４サイズの書籍を載置して陳列する棚を形成する際には、先ず、起立した壁部７３が本棚１の手前側Ｆとなるように延長部材５２をセットし、棚受け１４の係止部４２を延長部材５２の係止用挿入部８３へ挿入する。この状態で、前記延長部材５２を本棚１の奥側Ｂへスライドさせ、係止部４２の延出部４４を延長部材５２の支持面７２に係止して延長部材５２を棚受け１４に固定し、当該延長部材５２の抜けが防止された第１状態９１を形成する。
【００２９】
そして、棚受け１４の位置決め部４１を棚板５１の位置決め用挿入部６４へ挿入し、当該棚板５１の奥行き方向への移動を規制する。すると、前記棚板５１の手前側Ｆの縁から前記延長部材５２の前記壁部７３までの奥行き寸法Ｄ１がＡ４サイズの書籍に適合した２１０ｍｍとなり、Ａ４サイズの書籍を載置可能な載置面を、前記棚板５１の上面１０２と前記延長部材５２の上面１０１とによって形成することができる。
【００３０】
このとき、前記延長部材５２の手前側Ｆへの移動を、前記棚板５１によって阻止することができる。よって、前記延長部材５２の不用意な外れを防止することができる。
【００３１】
また、この上段にＢ５サイズの書籍を載置して陳列する棚を形成する際には、前記壁部７３が本棚１の手前側Ｆとなるように延長部材５２をセットし、棚受け１４の係止部４２を延長部材５２の係止用挿入部８３へ挿入する。この状態で、前記延長部材５２を本棚１の奥側Ｂへスライドさせ、係止部４２の延出部４４を延長部材５２の支持面８２に係止して延長部材５２を棚受け１４に固定し、当該延長部材５２の抜けが防止された第２状態９２を形成する。
【００３２】
そして、棚受け１４の位置決め部４１を棚板５１の位置決め用挿入部６４へ挿入し、当該棚板５１の奥行き方向への移動を規制する。すると、前記棚板５１の手前側Ｆの縁から前記延長部材５２の前記壁部７３までの奥行き寸法Ｄ２が、Ｂ５サイズの書籍に適合した１８０ｍｍとなり、Ｂ５サイズの書籍を載置可能な載置面を、前記棚板５１の上面１０２によって形成することができる。
【００３３】
このとき、前記延長部材５２の手前側Ｆへの移動を、前記棚板５１によって阻止することができる。よって、前記延長部材５２の不用意な外れを防止することができる。
【００３４】
このように、棚受け１４に取り付けられる延長部材５２の向きを変えるだけで、棚板５１の手前側Ｆの縁から延長部材５２の壁部７３までの奥行きを変更することができ、載置される書籍のサイズに合わせた奥行きの棚を形成することができる。したがって、奥行きがＡ４サイズの書籍に合わせて作られた本棚に、Ｂ５サイズの書籍を陳列し、本棚の手前から書籍までの距離が遠くなり、書籍の取り出しが困難になったり、奥行きがＢ５サイズの書籍に合わせて作られた本棚に、Ａ４サイズの書籍を陳列し、書籍が本棚の手前に飛び出してしまうといった不具合を解消することができる。
【００３５】
そして、奥行きを定める前記壁部７３は、前記延長部材５２の一縁に設けられているので、前記壁部７３が延長部材５２の奥行き方向中央部寄りに設定された場合と比較して、延長部材５２の向きを変えた際の奥行きの変化量を大きくすることができる。よって、前記延長部材５２で形成される載置面を有効に利用することができる。
【００３６】
【発明の効果】
以上説明したように本発明の請求項１の棚構造にあっては、棚板の奥側に配設され該棚板と共に載置面を形成する延長部材の向きを変えて配置するだけで、棚板の手前側の縁から前記延長部材に立設された壁部までの奥行きを変更することができる。
【００３７】
このように、載置される物品に合わせて奥行きを変更することができるため、小さな物品を奥行きの大きな棚に載置し物品の取り出しが困難になたり、大きな物品を奥行きの小さな棚に載置して物品が手前に飛び出してしまうといった不具合を解消することができる。
【００３８】
また、請求項２の棚構造においては、延長部材の向きを変えた際の奥行きの変化量を、前記延長部材の奥行き寸法とすることができる。
【００３９】
このため、壁部が延長部材の中央部寄りに設定された場合と比較して、奥行き変更時の変化量を大きくすることができる。
【００４０】
さらに、請求項３の棚構造では、延長部材の位置決め用挿入部へ棚受けの係止部を挿通した後、延長部材を奥側へスライドすることによって、前記係止部を延長部材に係合した状態で、該延長部材を固定することができる。また、棚板の位置決め用挿入部へ棚受けの位置決め部を挿入することによって、当該棚板の手前側のズレを防止することができる。
【００４１】
これにより、前記延長部材の手前側へのズレを前記棚板で規制することができるので、前記延長部材の不用意な外れを防止することができる。
【図面の簡単な説明】
【図１】本発明の一実施の形態を示す要部の断面図である。
【図２】図１のＡ部拡大図である。
【図３】同実施の形態の要部を示す分解斜視図である。
【符号の説明】
１      本棚
１４      棚受け
４１      位置決め部
４２      係止部
５１      棚板
５２      延長部材
６４      位置決め挿入部
７３      壁部
８３      係止用挿入部
９１      第１状態
９２      第２状態
９４      支持領域
【図１】
2004215906.tif 000003
【図２】
2004215906.tif 000004
【図３】
2004215906.tif 000005